(57)【要約】    【課題】  簡単な構成で、低コスト化及び小型化を図りつつ、複数の記録媒体へのアクセス状態をユーザに明確に知らせることが可能な撮像装置を提供する。    【解決手段】  メモリカード１１０，１１２を着脱可能に装填する第１及び第２のメモリカードスロット１０９，１１１と、第１及び第２のメモリカードスロット１０９，１１１の近傍に配置され且つメモリカード１１０，１１２へのアクセス状態を表示する単一のアクセスランプ３０と、メモリカード１１０，１１２へのアクセス状態に応じてアクセスランプ３０の表示形態を制御するＣＰＵ１１３とを有する。【選択図】      図４
2005348377.tif 000002
【特許請求の範囲】
【請求項１】
記録媒体を着脱可能に装填する複数の記録媒体装填手段と、
前記記録媒体装填手段の近傍に配置され且つ前記記録媒体へのアクセス状態を表示する単一の表示手段と、
前記記録媒体へのアクセス状態に応じて前記表示手段の表示形態を制御する表示制御手段とを有することを特徴とする撮像装置。
【請求項２】
前記複数の記録媒体装填手段は、該記録媒体装填手段毎に異なる種類の記録媒体を装填することを特徴とする請求項１記載の撮像装置。
【請求項３】
前記表示手段は、自己発光型であることを特徴とする請求項１または２記載の撮像装置。
【請求項４】
前記表示制御手段は、前記記録媒体へのアクセス状態に応じて前記表示手段の表示色を変更するように制御することを特徴とする請求項１〜３のいずれかに記載の撮像装置。
【請求項５】
前記表示制御手段は、前記記録媒体へのアクセス状態に応じて前記表示手段の表示・非表示の表示タイミングを変更するように制御することを特徴とする請求項１〜３のいずれかに記載の撮像装置。
【請求項６】
前記記録媒体が前記複数の記録媒体装填手段に装填されていた場合のみ複数記録モードを設定可能にする複数記録モード設定手段を有することを特徴とする請求項１〜５のいずれかに記載の撮像装置。
【請求項７】
前記複数記録モード設定手段により複数記録モードに設定した後に、前記複数の記録媒体装填手段の少なくとも１つから記録媒体を取り外した際に警告する警告手段を有することを特徴とする請求項６記載の撮像装置。
【請求項８】
記録媒体を着脱可能に装填する複数の記録媒体装填手段と、前記記録媒体装填手段の近傍に配置され且つ前記記録媒体へのアクセス状態を表示する単一の表示手段とを有する撮像装置を制御する制御方法であって、
前記記録媒体へのアクセス状態に応じて前記表示手段の表示形態を制御する表示制御工程を有することを特徴とする撮像装置の制御方法。
【請求項９】
前記複数の記録媒体装填手段は、該記録媒体装填手段毎に異なる種類の記録媒体を装填することを特徴とする請求項８記載の撮像装置の制御方法。
【請求項１０】
前記表示手段は、自己発光型であることを特徴とする請求項８または９記載の撮像装置の制御方法。
【請求項１１】
前記表示制御工程は、前記記録媒体へのアクセス状態に応じて前記表示手段の表示色を変更するように制御することを特徴とする請求項８〜１０のいずれかに記載の撮像装置の制御方法。
【請求項１２】
前記表示制御工程は、前記記録媒体へのアクセス状態に応じて前記表示手段の表示・非表示の表示タイミングを変更するように制御することを特徴とする請求項８〜１１のいずれかに記載の撮像装置の制御方法。
【請求項１３】
前記記録媒体が前記複数の記録媒体装填手段に装填されていた場合のみ複数記録モードを設定可能にする複数記録モード設定工程を有することを特徴とする請求項８〜１２のいずれかに記載の撮像装置の制御方法。
【請求項１４】
前記複数記録モード設定工程により複数記録モードに設定した後に、前記複数の記録媒体装填手段の少なくとも１つから記録媒体を取り外した際に警告する警告工程を有することを特徴とする請求項１３記載の撮像装置の制御方法。
【請求項１５】
請求項８〜１３記載の撮像装置の制御方法を実現するためのコンピュータ読み取り可能なプログラムコードを有することを特徴とする制御プログラム。
【請求項１６】
請求項８〜１３記載の撮像装置の制御方法を実現するためのコンピュータ読み取り可能なプログラムコードを保持することを特徴とする記憶媒体。
【発明の詳細な説明】
【技術分野】
【０００１】
本発明は、記録媒体を着脱可能に装填する複数の記録媒体装填部を備えたデジタルカメラ等の撮像装置、撮像装置の制御方法、制御プログラム及び記憶媒体に関する。
【背景技術】
【０００２】
一般に、デジタルカメラでは、撮像画像を記録保存するためにメモリカード（記録媒体）を着脱可能に装填することができるように構成され、近年では、撮像画像の記録枚数を増加させるために、２枚のメモリカードを装填することが可能なように、２つのメモリカードスロット（記録媒体装填手段）を備えたデジタルカメラも製品化されつつある。
【０００３】
そして、被写体の撮影時に、ユーザが、第１のメモリカードスロットに装填されたメモリカードと、第２のメモリカードスロットに装填されたメモリカードのいずれに撮像画像を記録するかを、切り換えスイッチの操作によって指定し、その指定されたメモリカードに対して撮像画像の記録処理を行うことで、ユーザが所望するメモリカードに対して、撮像画像の記録が行えるように構成されている。
【０００４】
また、先にメモリカードスロットへ装填されたメモリカードを優先してアクセス対象として撮像画像の記録が行われると共に、優先されたメモリカードスロットを表示するように構成されたデジタルカメラも知られている（例えば、特許文献１参照）。
【特許文献１】特開２００１−１６９２２４号公報
【発明の開示】
【発明が解決しようとする課題】
【０００５】
しかしながら、上記のような２つのメモリカードスロットを備えた従来のデジタルカメラにおいては、選択されているアクセス対象のメモリカードスロットに関する表示を、カメラ本体の上面に設けられた表示手段に表示しているため、メモリカードスロットに関する表示がカメラ本体の各種情報表示と混在していることで、表示手段の限られた表示面積の中で表示文字を追加すると、全体の表示文字が小さくなり、選択されたメモリカードスロットの表示視認性の悪化を招くばかりか、撮影に必要な情報の表示自体も小さくなることで、カメラ操作時において誤操作を招いてしまうおそれがあった。
【０００６】
また、前記表示手段が液晶ディスプレイ素子により構成されているため、撮影環境が暗くなると表示内容の視認性が悪化する。また、前記表示内容の視認性を高めるために照明手段等を追加すると、部品点数の増加に伴う組立て作業性の悪化及びコストアップを招いてしまう。
【０００７】
また、前記表示手段がメモリカードを装填するメモリカードスロットの近傍に配置されていないために、メモリカードをメモリカードスロットに対して着脱する場合に、アクセス中か否かの表示の視認性が悪く、アクセス中の誤操作によりメモリカードをメモリカードスロットから取り出してしまうおそれがあり、この場合、記録中の画像データを破損してしまうばりか、メモリカードに記録されている全てのデータを破損してしまうおそれがあった。
【０００８】
本発明は、上記従来技術の有する問題点に鑑みてなされたもので、その目的は、簡単な構成で、低コスト化及び小型化を図りつつ、複数の記録媒体へのアクセス状態をユーザに明確に知らせることが可能な撮像装置、撮像装置の制御方法、制御プログラム及び記憶媒体を提供することである。
【課題を解決するための手段】
【０００９】
上記目的を達成するため本発明の撮像装置は、記録媒体を着脱可能に装填する複数の記録媒体装填手段と、前記記録媒体装填手段の近傍に配置され且つ前記記録媒体へのアクセス状態を表示する単一の表示手段と、前記記録媒体へのアクセス状態に応じて前記表示手段の表示形態を制御する表示制御手段とを有することを特徴とする。
【００１０】
また、上記目的を達成するため本発明の撮像装置の制御方法は、記録媒体を着脱可能に装填する複数の記録媒体装填手段と、前記記録媒体装填手段の近傍に配置され且つ前記記録媒体へのアクセス状態を表示する単一の表示手段とを有する撮像装置を制御する制御方法であって、前記記録媒体へのアクセス状態に応じて前記表示手段の表示形態を制御する表示制御工程を有することを特徴とする。
【発明の効果】
【００１１】
本発明によれば、簡単な構成で、低コスト化及び小型化を図りつつ、複数の記録媒体へのアクセス状態をユーザに明確に知らせることが可能である。
【発明を実施するための最良の形態】
【００１２】
以下、本発明の各実施の形態について、図面を参照しながら説明する。
【００１３】
（第１の実施の形態）
まず、本発明の第１の実施の形態を、図１乃至図７に基づき説明する。
【００１４】
図１は、本発明の第１の実施の形態に係る撮像装置である一眼レフタイプのデジタルカメラの構成を示す上面図、図２は、同デジタルカメラの構成を示す背面図である。
【００１５】
図１及び図２において、１はデジタルカメラ、２はファインダ観察用の接眼窓、３はＡＥ（自動露出）ロックボタン、４はＡＦ（オートフォーカス）の測距点選択ボタンである。
【００１６】
図２において、５は縦位置用ＡＥ（自動露出）ロックボタンで、デジタルカメラ１を縦位置に構えた時に使用するものであり、ＡＥロックボタン３と同一の機能を有する。６は縦位置用の測距点選択ボタンで、デジタルカメラ１を縦位置に構えた時に使用するものであり、測距点選択ボタン４と同一の機能を有する。
【００１７】
図１において、７は撮影操作を行うためのレリーズボタンで、その第１ストロークで第１のレリーズスイッチがオン（ＯＮ）し、第２ストロークで第２のレリーズスイッチがオン（ＯＮ）する構成となっている。８はメイン電子ダイヤルで、例えば、９０°位相のずれた２ビットの信号を不図示のマイクロコンピュータに送ることにより、その回転方向と回転クリック数とが検出される。このメイン電子ダイヤル８の回転方向と回転クリック数とを検出することにより、他の操作ボタンと併用して、デジタルカメラ１に数値を入力したり、デジタルカメラ１の撮影モードを切り換えたりする等の情報設定が可能となる。
【００１８】
また、図１において、９は撮影モード選択ボタン、１０はＡＦ（自動露出）モード選択ボタン、１１は測光モード選択ボタンで、調光補正ボタンも兼ねている。例えば、撮影モード選択ボタン９を押しながらメイン電子ダイヤル８を一方向に回転させると、ＴＶ優先→ＡＶ優先→マニュアル→プログラム→ＴＶ優先→ＡＶ優先→マニュアル→プログラム…というようにモードが変更され、撮影者の意図するモードに設定することができる。また、撮影モード選択ボタン９を押しながらメイン電子ダイヤル８を上記と逆方向に回転させると、プログラム→マニュアル→ＡＶ優先→ＴＶ優先→プログラム→…というようにモードが変更される。また、撮影モード選択ボタン９とメイン電子ダイヤル８とによりＴＶ優先モードが設定されている場合には、メイン電子ダイヤル８を所定方向に回転させることにより、撮影者の希望するＴＶ値を設定することができる。また、撮影モード選択ボタン９とメイン電子ダイヤル８とによりＡＶ優先モードが設定されている場合には、メイン電子ダイヤル８を所定方向に回転させることにより、撮影者の希望するＡＶ値を設定することができる。
【００１９】
また、図１において、１２は撮影条件等を表示する第１の表示部で、液晶表示器等から成る。なお、第１の表示部１２に表示される表示内容の詳細については、図３を用いて後述する。
【００２０】
１３は表示パネル照明ボタンで、第１の表示部１２の裏面に設置されている不図示のバックライトをオン／オフするためのボタンである。１４は露出の補正を行うための露出補正ボタンである。撮影モード選択ボタン９とメイン電子ダイヤル８とによりマニュアルモードが設定された場合は、露出補正ボタン１４を押した後にメイン電子ダイヤル８を所定方向に回転させることにより、絞り値の入力設定を行うものである。また、撮影モード選択ボタン９とメイン電子ダイヤル８とによりプログラムモード（Ｐ）・シャッタ優先モード（Ｔｖ）・絞り優先モード（Ａｖ）が設定された場合は、露出補正ボタン１４を押した後にメイン電子ダイヤル８を所定方向に回転させることにより、測光した適正露出に対してデジタルカメラ１の制御露光量を変更する露出補正量の入力設定を行うものである。
【００２１】
また、図２において、１５はアイピースシャッタレバーで、不図示のアイピースシャッタを駆動させるためのレバーである。このアイピースシャッタレバー１５を図２において時計方向に回動させることにより、不図示のアイピースシャッタが接眼窓２を覆い、この接眼窓２から光が入るのを防ぐことができる。１６は視度の補正を行うための視度補正ダイヤルである。この視度補正ダイヤル１６を回転させることにより、不図示の視度補正レンズが駆動し、視度の補正を行うことができる。
【００２２】
また、図２において、１７はサブ電子ダイヤルで、メイン電子ダイヤル８と同様の機能を備えている。撮影モード選択ボタン９とメイン電子ダイヤル８とによりマニュアルモードが設定された場合には、サブ電子ダイヤル１７により、絞り値の入力設定を行うものである。また、撮影モード選択ボタン９とメイン電子ダイヤル８とによりプログラムモード（Ｐ）・シャッタ優先モード（Ｔｖ）・絞り優先モード（Ａｖ）が設定された場合には、サブ電子ダイヤル１７により、測光した適正露出に対してデジタルカメラ１の制御露光量を変更する露出補正量の入力設定を行うものである。１８はダイヤルロックスイッチで、サブ電子ダイヤル１７による入力機能をロックするためのスイッチである。１９はメインスイッチレバーで、デジタルカメラ１の全ての動作を禁止するためのメインスイッチをオン／オフするためのレバーである。２０は第２の表示部で、液晶表示器等から成り、撮影された画像やデジタルカメラ１の設定状態を示す情報等を表示するものである。
【００２３】
なお、本実施の形態における第２の表示部２０は透過型であるため、該第２の表示部２０の駆動だけでは撮像画像を視認することはできず、その裏面には不図示のバックライトが必要である。
【００２４】
また、図２において、２１はメモリカードスロット選択ボタンで、画像を記録するための記録媒体であるメモリカードが着脱可能に装填される後述する第１及び第２のメモリカードスロット３１，３２を選択するためのボタンである。このメモリカードスロット選択ボタン２１を押した後、サブ電子ダイヤル１７を回転させることにより、後述する第１及び第２のメモリカードスロット３１，３２の選択を行うことができる。２２はメニューボタンで、デジタルカメラ１の初期設定を行う際に各種モードを選択するためのボタンである。各種モードを選択する場合は、メニューボタン２２を押しながらサブ電子ダイヤル１７を回転して希望のモードを選択するものである。希望のモードが選択された場合、メニューボタン２２から指を離すと希望のモードの選択が完了する。
【００２５】
また、図２において、２３は選択したモードの機能のオン／オフを選択するための選択ボタンである。ある。希望のモードの選択が完了した後、選択ボタン２３を押しながらサブ電子ダイヤル１７を回転してオン／オフのどちらかを選択した後、選択ボタン２３から指を離すことにより、選択したモードの機能のオン／オフが完了する。２４はディスプレイボタンで、メモリカード内に記録されている画像ファイルを第２の表示部２０に表示させるためのボタンである。このディスプレイボタン２４を押しながらサブ電子ダイヤル１７を回転させることにより、画像ファイルが順次第２の表示部２０に表示され、希望の画像ファイルを選択した後にディスプレイボタン２４から指を離すことにより、希望の画像ファイルの選択が完了し、その画像ファイルが第２の表示部２０に表示される。
【００２６】
また、図２において、２５は消去ボタンで、メモリカードに記録されている画像ファイルを消去するためのボタンである。ディスプレイボタン２３とサブ電子ダイヤル１７とにより画像を選択した後に消去ボタン２５を押すことにより、メモリカードに記録されている画像の消去が可能である。２６は記録画質選択ボタンで、撮影した画像ファイルの圧縮率や画像サイズ等を選択するためのボタンである。メニューボタン２２とサブ電子ダイヤル１７とにより画質変更モードを選択した後、記録画質選択ボタン２６とサブ電子ダイヤル１７とにより希望の圧縮率や画像サイズを選択した後に記録画質選択ボタン２６から指を離すことにより、撮影した画像ファイルの圧縮率や画像サイズ等の選択が完了する。
【００２７】
また、図２において、２７はホワイトバランス選択ボタンで、予めデジタルカメラ１内に記憶されているホワイトバランス調整値を選択するためのボタンである。メニューボタン２２とサブ電子ダイヤル１７とによりホワイトバランス変更モードを選択した後に、ホワイトバランス選択ボタン２７とサブ電子ダイヤル１７とにより希望のホワイトバランス調整値を選択し、その後にホワイトバランス選択ボタン２７から指を離すことにより、ホワイトバランス調整値の選択が完了する。２８はメモリカードスロットカバー開閉摘み、２９はメモリカードスロットカバーで、後述する第１及び第２のメモリカードスロット３１，３２を開閉するものである。メモリカードスロットカバー開閉摘み２８を図２において反時計方向に回すことにより、メモリカードスロットカバー２９が開放され、後述する第１及び第２のメモリカードスロット３１，３２に対して、メモリカードの装填や取り外しを行うことが可能となる。
【００２８】
また、図２において、３０はアクセスランプで、後述する第１及び第２のメモリカードスロット３１，３２に装填されているメモリカードに撮影した画像ファイルを書き込む場合や、メモリカードに書き込まれた画像ファイルを読み出す場合等、メモリカードにアクセス中である場合は、点灯／点滅を行うものである。
【００２９】
本実施の形態のアクセスランプ３０は、赤色に発光するＬＥＤチップと緑色に発光するＬＥＤチップの２つを１つのパッケージに封止した２色発光タイプのアクセスランプである。そして、アクセスランプ３０は、赤色発光と緑色発光とを行うと共に、赤色に発光するＬＥＤチップと緑色に発光するＬＥＤチップとを同時に点灯させることで、赤色と緑色とを混色させて、橙色の発光色を作り出すことが可能である。
【００３０】
本実施の形態に係るデジタルカメラ１においては、後述するように記録媒体である種類の異なるメモリカードを後述する第１のメモリカードスロット３１及び第２のメモリカードスロット３２へ、それぞれ着脱可能に装填可能に構成されている。アクセスランプ３０は、後述する第１のメモリカードスロット３１に装填されているメモリカードへのアクセス状態表示を、前記赤色発光ＬＥＤチップによる赤色発光の点灯／点滅にて行うように構成されている。また、後述する第２のメモリカードスロット３２に装填されているメモリカードへのアクセス状態表示を、前記緑色発光ＬＥＤチップによる緑色発光の点灯／点滅にて行うように構成されている。また、後述する第１のメモリカードスロット３１に装填されているメモリカード及び後述する第２のメモリカードスロット３２に装填されているメモリカードの両方同時のアクセス状態表示を、前記赤色発光ＬＥＤチップと前記緑色発光ＬＥＤチップとを同時に点灯／点滅させることで、橙色発光の点灯／点滅にて行うように構成されている。
【００３１】
このように構成することで、アクセスしているメモリカードによってアクセスランプ３０の発光色を変えることできるので、撮影者は、どちらのメモリカードへアクセスしているのかを、簡単に確認することができる。
【００３２】
また、図２において、３１は第１のメモリカードスロットで、デジタルカメラ１のグリップ部３６内に配置されている。３２は第２のメモリカードスロットで、デジタルカメラ１の後述するグリップ部３６内に配置されている。３３は第１のメモリカード取り外しボタンで、第１のメモリカードスロット３１に装填されているメモリカードを第１のメモリカードスロット３１から取り外すためのボタンである。３４は第２のメモリカード取り外しボタンで、第２のメモリカードスロット３２に装填されているメモリカードを取り外すためのボタンである。３５は電源電池で、デジタルカメラ１を駆動させるためのものである。３６はグリップ部である。
【００３３】
なお、デジタルカメラ１の撮影レンズは、デジタルカメラ１の本体に対して、不図示の本体マウントを介して交換可能に装着されている。
【００３４】
次に、本実施の形態に係るデジタルカメラ１における第１の表示部１２に表示される表示内容について、図３を用いて説明する。
【００３５】
図３は、本実施の形態に係るデジタルカメラ１における第１の表示部１２の表示例を示す図であり、同図において、１２ａは撮影モードの状態を表示する領域で、同図においては、マニュアルモードが選択されている状態を示す「Ｍ」を表示している。１２ｂは絞り値を７セグメントにて表示する領域で、同図においては、絞り値「５．６」を表示している。１２ｃはシャッタスピードを７セグメントにて表示する領域で、同図においては、シャッタスピード「１０００」を表示している。１２ｄは撮影可能枚数を表示する領域で、同図においては、撮影可能枚数「１６７」を表示している。１２ｅはＡＦモードの状態を表示する領域で、同図においては、「ＯＮＥＳＨＯＴ」が表示されている。１２ｆはドライブモードの状態を表示する領域で、同図においては、「□」が表示されている。１２ｇは露出補正量をドットにて表示する領域で、同図においては、１ドット１／３段を表している。１２ｈは現在書き込みを行っているメモリカードを表示する領域で、同図においては、「ＣＦ」及び「ＳＤ」を表示している。
【００３６】
なお、本実施の形態に係るデジタルカメラ１においては、コンパクトフラッシュ（登録商標）（以下、ＣＦとも記述する）とＳＤカード（以下、ＳＤとも記述する）の２種類のメモリカードの装着が可能であるように構成されている。そして、両方のメモリカードに対して同様の画像ファイルを同時に記録する『複数記録モード』と、どちらか一方のメモリカードにだけ画像ファイルの記録を行う『通常記録モード』とを備えている。
【００３７】
『複数記録モード』が選択されている場合は、表示領域１２ｈに「ＣＦ」及び「ＳＤ」の両方を表示して、１２ｄには記録できる容量が少ない方のメモリカードの撮影可能枚数を表示する。また、『通常記録モード』が選択されている場合には、表示領域１２ｈに書き込みを行うメモリカードが表示される（「ＣＦ」及び「ＳＤ」のどちらか一方を表示する）。また、そのとき表示領域１２ｄには、選択されたメモリカードの撮影可能枚数が表示される。
【００３８】
また、図３において、１２ｉは電源電池３５（図２参照）の残り容量の目安を表示する領域で、同図においては、電池残容量が充分であることを表示している。１２ｊは測光モードの状態を表示する領域である。
【００３９】
図４は、本実施の形態に係る撮像装置であるデジタルカメラ１の内部構成を示すブロック図である。
【００４０】
図４において、１００は固体撮像素子、１０１はアナログ信号処理部、１０２はＡ／Ｄ変換器、１０３はメイン信号処理部、１０４はメモリ、１０５はＤ／Ａ変換器、１０７は映像出力装置、１０８は圧縮／解凍部、１０９は第１のメモリカードスロット、１１０は第１のメモリカード、１１１は第２のメモリカードスロット、１１２は第２のメモリカード、１１３はＣＰＵ（中央演算処理装置）、１１４はブザー、１１５は温度センサ、１１６は撮像制御部、１１７はメカニカルシャッタ部、１１８はレンズ駆動部、１１９は絞り駆動部、１２０は測光部、１２１は焦点検出部、１２２は第１のレリーズスイッチ、１２３は第２のレリーズスイッチ、１２４はメイン電子ダイヤルスイッチ、１２５はサブ電子ダイヤルスイッチ、１２６はスロット選択スイッチ、１２７はメニュースイッチ、１２８は選択スイッチ、１２９はディスプレイスイッチ、１３０は消去スイッチ、１３１はスロットカバー検出スイッチ、１３２は第１のメモリカード検出スイッチ、１３３は第２のメモリカード検出スイッチ、１３４は露出補正スイッチ、１３５は表示パネル照明スイッチ、１３６はＦＥロックスイッチ、１３７は絞り込みスイッチ、１３８はダイヤルロックスイッチ、１３９はメインスイッチ、１４０はＡＦ（オートフォーカス）モード選択スイッチ、１４１は撮影モード選択スイッチ、１４２は測光モード選択スイッチ、１４３はＡＥ（自動露出）ロックスイッチ、１４４はＡＦ（オートフォーカス）フレーム選択スイッチ、１４６は撮影レンズ、１４７は絞り羽根群である。また、１４８ａはアクセスランプ３０内の赤色発光ＬＥＤチップ（ＬＥＤ１）、１４８ｂはアクセスランプ３０内の緑色発光ＬＥＤチップ（ＬＥＤ２）である。
【００４１】
撮像素子１００は、撮影レンズ１４６により結像された被写体像を撮像して電気信号に変換するものである。この撮像素子１００としては、公知の２次元型の撮像デバイスが用いられている。この撮像デバイスには、ＣＣＤ型、ＭＯＳ型、ＣＩＤ型等、様々な形態があり、いずれの形態の撮像デバイスを採用しても良いが、本実施の形態においては、光電変換素子（フォトセンサ）が２次元的に配置され、各フォトセンサで蓄積された信号電荷が垂直転送路及び水平転送路を介して出力されるインターライン型ＣＣＤ（電荷結合素子）の撮像素子が採用される。また、撮像素子１００は、各フォトセンサに蓄積される電荷の蓄積時間（シャッタ秒時）を制御する、所謂電子シャッタ機能（電子シャッタ手段）を有している。撮影レンズ１４６を透過してきた被写体光束は、絞り駆動部１１９によって駆動される絞り羽根群１４７とメカニカルシャッタ部１１７とでその光量が規制され、撮像素子１００上に投影結像される。このとき、撮像素子１００は、撮像制御部１１６を介して電荷の蓄積時間が制御される。撮像素子１００の受光面に結像された被写体像は、各フォトセンサで光の入射光量に応じた量の信号電荷に変換され、撮像出力信号として順次読み出された後、アナログ信号処理部１０１に供給される。
【００４２】
アナログ信号処理部１０１は、ＣＤＳクランプ回路やゲイン調整回路等を含み、撮像素子１００から入力した撮像出力信号（アナログ電気信号）を撮像制御部１１６の制御に基づいて適宜処理する。アナログ信号処理部１０１から出力された信号は、Ａ／Ｄ変換器１０２によってデジタル信号に変換された後、メイン信号処理部１０３へ送られる。Ａ／Ｄ変換器１０２は、アナログ信号をデジタル信号に変換するものである。メイン信号処理部１０３は、ゲイン調整部１０３ａ、オフセット部１０３ｂ、デジタル信号処理部１０３ｃ及びヒストグラム生成部１０３ｄ等から成る。Ａ／Ｄ変換器１０２から出力されたデータは、ゲイン調整部１０３ａ及びオフセット部１０３ｂを経由して、デジタル信号処理部１０３ｃ及びヒストグラム生成部１０３ｄへ送られる。ヒストグラム生成部１０３ｄは、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１３から撮像制御部１１６を介してゲイン及びオフセットが制御される。
【００４３】
このように、ゲインとオフセットのコントロールを経由した信号は、デジタル信号処理部１０３ｃに送られる。デジタル信号処理部１０３ｃは、輝度（Ｙ）信号生成回路及び色差（Ｃ）信号生成回路を含み、オフセット部１０３ｂから入力した信号をＹ／Ｃ信号処理する。そして、デジタル信号処理部１０３ｃでＹ／Ｃ信号処理された画像データは、メモリ１０４に一時記憶される。
【００４４】
メモリ１０４は、画像データを記憶するものであり、このメモリ１０４に記憶された画像データは、デコードされた後にＤ／Ａ変換器１０５でアナログ信号に変換され、第２の表示部２０に供給される。こうして、第２の表示部２０には、撮像素子１００で捉えた映像が表示される。尚、Ｄ／Ａ変換器１０５でアナログ信号に変換された信号は、ビデオ出力端子等から映像出力装置１０７として取り出すことができる。
【００４５】
また、撮影開始信号の入力に呼応して取得したデジタルカメラ１による撮像画像データは、メモリ１０４から圧縮／解凍部１０８に導かれ、ここで所定の形式（例えば、ＪＰＥＧ）に従って圧縮処理された後、記録媒体としての第１のメモリカード１１０若しくは第２のメモリカード１１２に記録される。
【００４６】
Ｄ／Ａ変換器１０５は、デジタル信号をアナログ信号に変換するものである。第２の表示部２０は、図１に示すレリーズボタン７の操作によりオンする第２のレリーズスイッチ１２３によって発せられる撮影開始信号に基づいて撮影した静止画を表示するものである。また、第２の表示部２０には、映像の表示以外に、図２に示すスロット選択ボタン２１、メニューボタン２２、選択ボタン２３、ディスプレイボタン２４の操作に応じて対応するメニュー・設定項目・選択項目等が表示されるようになっている。映像出力装置１０７は、Ｄ／Ａ変換器１０５でアナログ信号に変換された信号をビデオ出力端子等を介して出力する。
【００４７】
圧縮／解凍部１０８は、ＣＰＵ１１３を介して呼び出された画像データに対して圧縮／解凍処理するものである。第１のメモリカードスロット１０９は、第１のメモリカード１１０を着脱可能に装填するもので、図２の第１のメモリカードスロット３１に対応するものである。第２のメモリカードスロット１１１は、第２のメモリカード１１２を着脱可能に装填するもので、図２の第２のメモリカードスロット３２に対応するものである。尚、記録媒体である第１及び第２のメモリカード１１０，１１２の形態は、スマートメディアやＩＣカード等、種々の形態が可能である。第１のメモリカード１１０若しくは第２のメモリカード１１２に記録された画像データは、ＣＰＵ１１３を介して呼び出しが可能であり、該呼び出された画像データは、圧縮／解凍部１０８で解凍再生処理された後、メモリ１０４、Ｄ／Ａ変換器１０５を介して第２の表示部２０に出力され、または、不図示のビデオ信号出力端子等に供給され、他の外部機器に出力可能である。
【００４８】
ＣＰＵ１１３は、測光部１２０、焦点検出部１２１、撮像制御部１１６、デジタル信号処理部１０３ｃ、ヒストグラム生成部１０３ｄ、メモリ１０４及び第１のメモリカード１１０、第２のメモリカード１１２、各スイッチ１２２〜１３３と接続されており、所定のアルゴリズムに従って、露出値、撮影レンズ１４６の焦点位置等の各種演算を行い、自動露光制御、オートフォーカス、オートストロボ、オートホワイトバランス等の制御を総括的に管理する。また、ＣＰＵ１１３は、図１及び図２に示すレリーズボタン７やメイン電子ダイヤル８、サブ電子ダイヤル１７、撮影モード選択ボタン９、ＡＦモード選択ボタン１０、測光モード選択ボタン１１等の操作部から入力される各種信号に基づいて、該当する部分を制御する。
【００４９】
ブザー１１４は、主に撮影時に警告するための警告手段等に用いられる音発生手段である。このブザー１１４は、複数記録モードに設定した後に、第１及び第２のメモリカードスロット１０９，１１１の少なくとも１つからメモリカードが取り外された場合に、鳴動することにより、ユーザに対して警告することができる。温度センサ１１５は、撮像素子１００近傍の温度を測定するセンサである。撮像制御部１１６は、ＣＰＵ１１３から送られた露出制御値に基づいて撮像素子１００の駆動回路を制御し、電子シャッタ制御モード時には、撮像素子１００の電荷蓄積時間を、また、メカニカルシャッタ制御モード時には、メカニカルシャッタ部１１７の開閉タイミング等を制御すると共に、露光時に絞り駆動部１１９を制御するものである。メカニカルシャッタ部１１７は、被写体光束の結像面への入射時間を機械的に制御するものである。このメカニカルシャッタ部１１７は、ファインダ観察時には被写体光束を遮光し且つ撮影時にはレリーズ信号に応じて被写体光束の光路から退避して露光を開始させる先羽根郡と、ファインダ観察時には被写体光束の光路から退避し且つ撮影時には先羽根郡の走行（駆動）開始後に所定のタイミングで被写体光束を遮光する後羽根郡とを有するフォーカルプレーンシャッタである。
【００５０】
レンズ駆動部１１８は、被写体像を結像面に結像させるために撮影レンズ１４６を駆動するものである。絞り駆動部１１９は、絞り羽根群１４７を駆動するものである。測光部１２０は、不図示のフォーカシングスクリーンに結像された被写体像の輝度を、不図示の光学部材を介して測定するものであり、この測光部１２０の出力信号に基づいて露光時の露出制御を行うようになっている。測光部１２０の出力信号はＣＰＵ１１３に送られ、このＣＰＵ１１３において露光時間を示す露出制御値が算出される。そして、得られた露出制御値は、ＣＰＵ１１３から撮像制御部１１６に送られ、該撮像制御部１１６を介して自動露光制御、オートストロボ、オートホワイトバランス等の制御が行われる。焦点検出部１２１は、焦点を検出するものであり、該焦点検出部１２１の出力信号に基づいて撮影レンズ１４６のレンズ駆動部１１８を制御し、撮影レンズ１４６にて焦点調節を行うようになっている。
【００５１】
第１のレリーズスイッチ１２２は、図１に示すレリーズボタン７の第１ストロークによりオンするスイッチである。第２のレリーズスイッチ１２３は、図１に示すレリーズボタン７の第２ストロークによりオンするスイッチである。第１のレリーズスイッチ１２２がオンされると、測光制御・合焦制御が行われる。また、第２のレリーズスイッチ１２３がオンされると、レリーズ動作が開始される。メイン電子ダイヤルスイッチ１２４は、図１に示すメイン電子ダイヤル８の回転に連動して信号を発生するスイッチである。このメイン電子ダイヤル８の回転で、例えば、９０°位相のずれた２ビットの信号をスイッチセンス回路に送ることにより、メイン電子ダイヤル８の回転方向と回転クリック数とが検出される。このメイン電子ダイヤル８の回転方向と回転クリック数とを検出することにより、他の操作ボタンと併用して、デジタルカメラ１に数値を入力したり、撮影モードを切り換えたりすることが可能となる。
【００５２】
サブ電子ダイヤルスイッチ１２５は、図１に示すサブ電子ダイヤル１７の回転に連動して信号を発生するスイッチである。サブ電子ダイヤル１７の回転で、例えば、９０°位相のずれた２ビットの信号をスイッチセンス回路に送ることにより、サブ電子ダイヤル１７の回転方向と回転クリック数とが検出される。このサブ電子ダイヤル１７の回転方向と回転クリック数とを検出することにより、他の操作ボタンと併用して、デジタルカメラ１に数値を入力したり、撮影モードを切り換えたりすることが可能となる。
【００５３】
メモリカードスロット選択スイッチ１２６は、図２に示すメモリカードスロット選択ボタン２１を押し込むとオンするスイッチである。このメモリカードスロット選択ボタン２１を押し込み、メモリカードスロット選択スイッチ１２６をオンさせた状態で、図２に示すサブ電子ダイヤル１７を操作して、撮像データの保存先・再生データの取得先・データ管理するメモリカードスロット１０９，１１１を選択する。メニュースイッチ１２７は、図２に示すメニューボタン２２を押し込むとオンするスイッチである。このメニューボタン２２を押し込み、メニュースイッチ１２７をオンさせて、図２に示すサブ電子ダイヤル１７を操作することにより、設定項目を選択することができる。このときの設定項目の表示は、第２の表示部２０にて行われる。
【００５４】
選択スイッチ１２８は、図２に示す選択ボタン２３を押し込むとオンするスイッチである。この選択ボタン２３を押し込み、選択スイッチ１２８をオンさせ、図２に示すサブ電子ダイヤル１７を操作することにより、メニューボタン２２で選択して設定項目の設定値を変更することができる。このときの設定項目の設定値の表示は、第２の表示部２０にて行われる。
【００５５】
ディスプレイスイッチ１２９は、図２に示すディスプレイボタン２４を押し込むとオンするスイッチである。このディスプレイボタン２４を押し込み、ディスプレイスイッチ１２９をオンさせると、第１及び第２のメモリカード１１０，１１２に記録されている画像を第２の表示部２０に表示することが可能である。
【００５６】
消去スイッチ１３０は、図２に示す消去ボタン２５を押し込むとオンするスイッチである。第２の表示部２０に画像が表示されている場合に消去ボタン２５を押し込み、消去スイッチ１３０をオンさせると、第２の表示部２０に表示されている画像データを第１及び第２のメモリカード１１０，１１２上から削除することができる。また、消去ボタン２５を押し込んだまま、消去スイッチ１３０をオンさせたままの状態で保持すると、第１及び第２のメモリカード１１０，１１２に記録された画像データを一括消去するか否かを問い合わせるメニューが第２の表示部２０に表示され、図２に示すサブ電子ダイヤル１７を操作して一括消去を選択し、消去ボタン２５の押し込みを解除して、消去スイッチ１３０をオフさせると、第１及び第２のメモリカード１１０，１１２内の画像データを一括消去することが可能となる。
【００５７】
スロットカバー検出スイッチ１３１は、図２に示すメモリカードスロットカバー２９の開閉に応じてオン／オフするスイッチである。第１のメモリカード検出スイッチ１３２は、第１のメモリカードスロット１０９に第１のメモリカード１１０が装填された場合にオンするスイッチである。第２のメモリカード検出スイッチ１３３は、第２のメモリカードスロット１１１に第２のメモリカード１１２が装填された場合にオンするスイッチである。露出補正スイッチ１３４は、図２に示す露出補正ボタン１４を押し込むとオンするスイッチである。露出補正スイッチ１３４をオンさせた状態で、図２に示すメイン電子ダイヤル８を操作すると、露出補正値を設定することができる。
【００５８】
表示パネル照明スイッチ１３５は、図２に示す表示パネル照明ボタン１３を押し込むとオンするスイッチである。この表示パネル照明スイッチ１３５がオンすると、第１の表示部１２を裏面から照明し、表示内容が暗闇でも読み取り可能な状態になる。ＦＥロックスイッチ１３６は、不図示のＦＥロックボタンを押し込むとオンするスイッチである。デジタルカメラ１に不図示の外部ストロボが装着されている場合に、このＦＥロックスイッチ１３６がオンするとプリ発光を行い、ストロボ発光時におけるストロボ発光量、Ｔｖ値及びＡｖ値を決定して、それらを記憶するようになっている。絞り込みスイッチ１３７は、不図示の絞り込みボタンを押し込むとオンするスイッチである。この絞り込みスイッチ１３７がオンすると、そのときに選択されている絞り値まで絞り羽根群１４７を駆動し、被写界深度の確認を行えるようにする。
【００５９】
ダイヤルロックスイッチ１３８は、図２に示すダイヤルロックスイッチ１８の操作によってオン／オフされるスイッチであり、図２に示すサブ電子ダイヤル１７による入力機能の作動・非作動を設定する。メインスイッチ１３９は、図２に示すメインスイッチレバー１９の操作によってオン／オフされるスイッチであり、デジタルカメラ１の全ての動作の作動・非作動を設定する。ＡＦモード選択スイッチ１４０は、図２に示すＡＦモード選択ボタン１０を押し込むことによってオンするスイッチである。撮影モード選択スイッチ１４１は、図２に示す撮影モード選択ボタン９を押し込むとオンするスイッチである。測光モード選択スイッチ１４２は、図２に示す測光モード選択ボタン１１を押し込むとオンするスイッチであり、調光補正ボタン／スイッチも兼ねている。
【００６０】
例えば、図２に示す撮影モード選択ボタン９を押しながらメイン電子ダイヤル８を一方向に回転させると、ＴＶ優先→ＡＶ優先→マニアル→プログラム→ＴＶ優先→ＡＶ優先→マニアル→プログラム…とモードが変更され、撮影者の意図するモードに設定することができる。
【００６１】
また、図１に示すメイン電子ダイヤル８を上記と逆方向に回転させると、プログラム→マニアル→ＡＶ優先→ＴＶ優先→プログラム→…とモードは変更される。また、図２に示す撮影モード選択ボタン９と図１に示すメイン電子ダイヤル８とによりＴＶ優先がモードとして設定されている場合には、このメイン電子ダイヤル８を所定方向に回転させることにより、撮影者の希望するＴＶ値を設定することができる。また、図２に示す撮影モード選択ボタン９と図１に示すメイン電子ダイヤル８とによりＡＶ優先がモードとして設定されている場合には、このメイン電子ダイヤル８を回転させることにより、撮影者の希望するＡＶ値を設定することができる。
【００６２】
また、図１に示す測光モードボタン１１とＡＦモードボタン１０とを同時に押し込んだ状態で図１に示すメイン電子ダイヤル８を操作すると、撮像時の撮像感度を変更することができる。また、図１に示す測光モードボタン１１と撮影モード選択ボタン９とを同時に押し込んだ状態でメイン電子ダイヤル８を操作すると、単写・連写・セルフタイマの何れかからドライブモードを選択することができる。また、図１に示す撮影モードボタン９とＡＦモードボタン１０とを同時に押し込んだ状態でメイン電子ダイヤル８を操作すると、ＡＥＢ撮影モードのブラケット段数を設定することができる。
【００６３】
ＡＥロックスイッチ１４３は、図１及び図２に示すＡＥロックボタン３を押し込むことによりオンするスイッチである。ＡＥフレーム選択スイッチ１４４は、図１及び図２に示す測距点選択ボタン４を押し込むことによりオンするスイッチである。第１の表示部１２は、撮影条件等を表示する外部表示機能を備えており、この第１の表示部１２は、図１の第１の表示部１２に対応するものである。撮影レンズ１４６は、被写体像を結像面に結像させるためのレンズである。この撮影レンズ１４６は、図４では簡略化してあるが、１枚または複数枚のレンズで構成されている。なお、この撮影レンズ１４６は、単一の焦点距離（固定焦点）のレンズでも良いし、ズームレンズやステップズームレンズ等のように、焦点距離可変のレンズでも良い。絞り羽根群１４７は、露出制御を行うものである。
【００６４】
次に、本実施の形態に係る撮像装置であるデジタルカメラ１における記録モード設定動作について、図５を用いて説明する。
【００６５】
図５は、本実施の形態に係る撮像装置であるデジタルカメラ１における記録モード設定動作の流れを示すフローチャートである。
【００６６】
図５において、まず、ステップＳ５０１で、カードスロット選択ボタン２１が押し込まれ、スロット選択スイッチ１２６がオン（ＯＮ）したか否かを、オンするまで判別する。そして、スロット選択スイッチ１２６がオン（ＯＮ）したと判別された場合は、次のステップＳ５０２へ進んで、メモリカードの装填状態が単一であるか複数であるかの検出を行う。このメモリカードの装填状態の検出は、第１のメモリカード検出スイッチ１３２、第２のメモリカード検出スイッチ１３３の状態を検出することにより行われる。即ち、第１のメモリカード検出スイッチ１３２がオン（ＯＮ）していれば、第１のメモリカードスロット１０９に第１のメモリカード１１０が装填されている。また、第２のメモリカード検出スイッチ１３３がオン（ＯＮ）していれば、第２のメモリカードスロット１１１に第２のメモリカード１１２が装填されている。更に、両方のメモリカード検出スイッチ１３２，１３３がオン（ＯＮ）していれば、複数記録モード設定を許可する。
【００６７】
前記ステップＳ５０２において、両方のメモリカード検出スイッチ１３２，１３３がオン（ＯＮ）している（第１及び第２のメモリカードスロット１０９，１１１にそれぞれメモリカード１１０，１１２が装填されている）と判別された場合は、ステップＳ５０３に移行する。
【００６８】
ステップＳ５０３では、サブ電子ダイヤルスイッチ１２５の入力状況に応じ、複数記録モード若しくは通常記録モードを設定し、次のステップＳ５０４でスロット選択スイッチ１２６がオフしているか否かを判別する。そして、スロット選択スイッチ１２６がオンしていると判別された場合は、前記ステップＳ５０３へ戻る。また、前記ステップＳ５０４において、スロット選択スイッチ１２６がオフしていると判別された場合は、記録モード設定動作を終了する。
【００６９】
一方、前記ステップＳ５０２において、いずれか一方のメモリカード検出スイッチがオン（ＯＮ）している（第１及び第２のメモリカードスロット１０９，１１１のいずれか一方のみにメモリカードが装填されている）と判別された場合は、前記ステップＳ５０３をスキップしてステップＳ５０４へ移行する。
【００７０】
次に、本実施の形態に係る撮像装置であるデジタルカメラ１における撮影動作について、図６を用いて説明する。
【００７１】
図６は、本実施の形態に係る撮像装置であるデジタルカメラ１における撮影動作の流れを示すフローチャートである。
【００７２】
図６において、まず、ステップＳ６００でメインスイッチレバー１９の操作によりメインスイッチ１３９がオン（ＯＮ）されると、デジタルカメラ１は、撮影のためのスタンバイ状態になる。次に、ステップＳ６０１で、第１のレリーズスイッチ１２２がオン（ＯＮ）になったか否かを、オンになるまで判別する。そして、レリーズボタン７の半押し操作によって、第１のレリーズスイッチ１２２がオン（ＯＮ）になると、次のステップＳ６０２で測光部１２０により測光処理が、また、この測光処理と同時にステップＳ６０３で焦点検出部１２１により測距処理がそれぞれ行われる。測距処理が終了すると、その測距処理結果に基づいて、ステップＳ６０４で撮影レンズ１４６の駆動が開始され、その後、ステップＳ６０５へ移行する。また、前記ステップＳ６０２における測光処理が終了すると、その測光処理結果に基づいて、ステップＳ６０５で露出パラメータを決定する。
【００７３】
次に、ステップＳ６０６で第２のレリーズスイッチ１２３がオン（ＯＮ）になったか否かを判別する。そして、第２のレリーズスイッチ１２３がオン（ＯＮ）にならないと判別された場合は、前記ステップＳ６０１へ戻る。また、レリーズボタン７の全押し操作によって、第２のレリーズスイッチ１２３がオン（ＯＮ）になったと前記ステップＳ６０６において判別された場合は、ステップＳ６０７以降の撮影動作に入る。
【００７４】
即ち、ＣＰＵ１１３から送られた露出制御値に基づいて撮像制御部１１６は、ステップＳ６０７で撮像素子１００を作動させて電荷蓄積動作を開始させると共に、次のステップＳ６０８でメカニカルシャッタ部１１７へ先羽根走行開始信号を出力して、先羽根群の駆動を開始（先幕開放）させた後、次のステップＳ６０９で撮像素子１００への露光を行う。
【００７５】
ＣＰＵ１１３から送られた露出制御値に基づいて決定されたＴＶ値により、撮像制御部１１６は、ステップＳ６１０でメカニカルシャッタ部１１７へ後羽根走行開始信号を出力して、後羽根群の駆動を開始させて、先羽根群及び後羽根群による撮像素子１００への露光動作を終了する（後幕遮蔽）。
【００７６】
撮像素子１００は、メカニカルシャッタ装置１１６の後羽根走行終了後、電荷値蓄積動作を継続すると共に、露光時に必要以上の光が入射することにより発生するスミアの影響を除去するため、ステップＳ６１１で撮像素子１００の光電変換素子に蓄積された信号電荷を垂直転送ＣＣＤへ移す前に、垂直転送ＣＣＤに漏れ込んだスミア成分を読み出して（垂直転送）、掃き捨てた後、ステップＳ６１２へ移行する。
【００７７】
ステップＳ６１２で撮像素子１００は電荷蓄積動作を終了し、光電変換素子に蓄積された信号電荷を垂直転送ＣＣＤへ転送すると共に、信号電荷の読み出し動作である通常読み出しを行う。次に、ステップＳ６１３で画像処理を行った後、次のステップＳ６１４で記録モード判別処理と選択されているメモリカードへの画像データの記録処理を実行した後、撮影動作を終了する。
【００７８】
次に、本実施の形態に係る撮像装置であるデジタルカメラ１における前記図６のステップＳ６１４での記録モード判別・画像データ記録動作について、図７を用いて説明する。
【００７９】
図７は、本実施の形態に係る撮像装置であるデジタルカメラ１における記録動作の流れを示すフローチャートである。
【００８０】
図７において、まず、ステップＳ７０１で、図５で説明した記録モード設定シーケンスでユーザによって設定（マニュアル設定）された記録モードが通常記録モードであるか複数記録モードであるかを判別する。そして、通常記録モードに設定されていると判別された場合はステップＳ７０２に、また、複数記録モードに設定されていると判別された場合はステップＳ７０５に、それぞれ移行する。
【００８１】
ステップＳ７０２では、通常記録モード時の記録媒体として、ＣＦカードが選択されているか、ＳＤカードが選択されているかを判別する。そして、ＣＦカードが選択されていると判別された場合には、ステップＳ７０３へ移行し、撮影された画像データをＣＦカードへ記録する動作を開始すると共に、ＣＦカードへ記録アクセス中には、アクセスランプ３０の赤色発光による点灯／点滅を行う。また、前記ステップＳ７０２においてＳＤカードが選択されていると判別された場合には、ステップＳ７０４へ移行し、撮影された画像データをＳＤカードへ記録する動作を開始すると共に、ＳＤカードへ記録アクセス中には、アクセスランプ３０の緑色発光による点灯／点滅を行う。
【００８２】
また、ステップＳ７０５では、複数記録モードに設定されて複数記録を行うために、第１のメモリカードスロット１０９及び第２のメモリカードスロット１１１の両方にメモリカードが装填されているか否かを確認する。メモリカード装填状態の確認は、第１のメモリカード検出スイッチ１３２及び第２のメモリカード検出スイッチ１３３のオン／オフ状態をＣＰＵ１１３がチェックすることにより行う。この段階でメモリカードの装填状態の確認を行う目的は、ユーザによって記録モードがマニュアル設定された後、メモリカードの装填・取り外しが行われる可能性があるからである。
【００８３】
メモリカードが第１のメモリカードスロット１０９及び第２のメモリカードスロット１１１のいずれか一方に装填されていた場合は、ステップＳ７０７へ移行し、複数記録モードによる画像データの記録が不可能であることを撮影者へ注意を促すために警告手段にて警告を行う。この警告手段の例としては、ブザー１１４による警告音の発生や、表示手段の表示内容を点滅等により表示することである。本実施の形態においては、ブザー１１４により警告が行われる。
【００８４】
一方、前記ステップＳ７０５においてメモリカードが第１のメモリカードスロット１０９及び第２のメモリカードスロット１１１の両方に装填されていた場合は、ステップＳ７０６へ移行する。
【００８５】
ステップＳ７０６では、ＣＦカード及びＳＤカードの両方へ、撮影された画像データの記録を開始すると共に、複数記録モードによるＣＦカード及びＳＤカードへ記録アクセス中には、アクセスランプ３０を赤色発光＋緑色発光とすることで、橙色発光による点灯／点滅を行う。
【００８６】
本実施の形態において、複数記録モードが設定されている場合、アクセスランプ３０の発光は、第１のメモリカード１１０及び第２のメモリカード１１２の両方へ同時にアクセスしている場合、橙色発光すると共に、一方のメモリカードへのアクセスが終了しても、他方のメモリカードへのアクセスが終了しない限り、橙色発光による点灯／点滅を行うように構成されている。
【００８７】
尚、第１のメモリカード１１０及び第２のメモリカード１１２の両方へ同時にアクセスしている場合のみ、アクセスランプ３０の発光は橙色発光とし、他方へのアクセス終了時点で、アクセスが終了したメモリカードのアクセスランプ３０の発光色を消灯し、アクセス対象のメモリカードのアクセスランプ３０の発光色のみによる点灯／点滅表示へ切り換えても良い。
【００８８】
前記ステップＳ７０３、前記ステップＳ７０４及び前記ステップＳ７０６の処理を終了後は、いずれもリターンする。
【００８９】
以上のように、本実施の形態に係る撮像装置であるデジタルカメラ１によれば、簡単な構成で、低コスト化及び小型化を図りつつ、複数の記録媒体へのアクセス状態をユーザに明確に知らせることが可能である。
【００９０】
また、記録媒体であるメモリカードが第１及び第２のメモリカードスロット１０９，１１１に装填されていた場合のみ、複数記録モードを設定可能にするので、メモリカードが第１及び第２のメモリカードスロット１０９，１１１のいずれか一方にのみ装填されているのに、撮影者が間違えて複数記録モードに設定しまうことを未然に防止することが可能となる。
【００９１】
また、例えば、複数記録モードに設定した後、第１及び第２のメモリカードスロット１０９，１１１にそれぞれ装填されていたメモリカード１１０，１１２のいずれか一方を、そのメモリカードスロットから取り外した際には、ブザー１１４により警告を行うので、撮影者が意図して設定した「複数記録モード」が実行できないことをユーザに知らせることができる。
【００９２】
（第２の実施の形態）
次に、本発明の第２の実施の形態を、図８に基づき説明する。
【００９３】
なお、本実施の形態に係る撮像装置であるデジタルカメラの基本的な構成は、上述した第１の実施の形態の図１乃至図４と同一であるから、必要に応じてこれら各図を流用して説明する。
【００９４】
図８は、本発明の第２の実施の形態に係る撮像装置であるデジタルカメラ１における記録動作の流れを示すフローチャートであり、同図のステップＳ８０１，ステップＳ８０２，ステップＳ８０５及びステップＳ８０７は、上述した第１の実施の形態における図７のステップＳ７０１，ステップＳ７０２，ステップＳ７０５及びステップＳ７０７と同一であるから、その説明は省略し、本実施の形態特有の処理ステップについてのみ説明する。
【００９５】
尚、記録モード設定時のシーケンス及び撮影時のシーケンスについては、前述した第１の実施の形態における図５及び図６と同一であるから、その説明は省略する。
【００９６】
図８において、ステップＳ８０２で、ＣＦカードが選択されていると判別された場合には、ステップＳ８０３へ移行し、撮影された画像データをＣＦカードへ記録する動作を開始すると共に、ＣＦカードへ記録アクセス中には、アクセスランプ３０の赤色発光による２Ｈｚ点滅表示を行う。また、前記ステップＳ８０２でＳＤカードが選択されていると判別された場合には、ステップＳ８０４へ移行し、撮影された画像データをＳＤカードへ記録する動作を開始すると共に、ＳＤカードへ記録アクセス中には、アクセスランプ３０の緑色発光による１０Ｈｚ点滅を行う。
【００９７】
また、ステップＳ８０５で、メモリカードが第１のメモリカードスロット１０９及び第２のメモリカードスロット１１１の両方に装填されていると判別された場合は、ステップＳ８０６で、撮影された画像データをＣＦカード及びＳＤカードの両方へ画像データを記録する動作を開始すると共に、複数記録モードによるＣＦカード及びＳＤカードへ記録アクセス中には、アクセスランプ３０を赤色発光＋緑色発光とすることで、橙色発光による点灯を行う。
【００９８】
本実施の形態において、複数記録モードが設定されている場合、アクセスランプ３０の発光は、両方のメモリカード１１０，１１２へ同時にアクセスしている場合、橙色発光の点灯状態にすると共に、一方のメモリカードへのアクセスが終了しても他方のメモリカードへのアクセスが終了しない限り、橙色発光による点灯状態の保持を行うように構成されている。
【００９９】
尚、両方のメモリカードへ同時にアクセスしている場合のみ、アクセスランプ３０は橙色発光の点灯状態とし、他方へのアクセス終了時点で、アクセスが終了したメモリカードのアクセスランプ３０の発光色を消灯し、アクセス対象のメモリカードのアクセスランプ３０の発光色による点滅へ切り換えても良い。
【０１００】
また、本実施の形態においては、メモリカード自体の撮像画像記録速度に応じて、アクセスランプ３０の点滅周期を変更するように構成されており、記録速度の遅いＣＦカードの発光点滅を低周期（２Ｈｚ）とし、記録速度が速いＳＤカードの発光点滅を高周期（１０Ｈｚ）としている。
【０１０１】
尚、メモリカードスロット１０９，１１１毎にアクセスランプ３０の点滅周期を固定しても良い。また、アクセスランプ３０の点滅周期自体を、メモリカードスロット１０９，１１１毎にユーザ（撮影者）が変更できるように構成しても良い。
【０１０２】
また、本実施の形態においては、２色発光タイプのアクセスランプをアクセスランプ３０として使用し、メモリカードスロット１０９，１１１毎に発光色を変化させているが、アクセスランプ３０の点滅周期をメモリカードスロット１０９，１１１毎に異ならせたため、単色発光タイプのＬＥＤ素子を用いても本発明の目的は達成でき且つＬＥＤ素子のコストダウン及びＬＥＤ素子の駆動回路の簡素化及びコストダウンを達成することができる。
【０１０３】
なお、本実施の形態に係る撮像装置であるデジタルカメラ１の構成、作用及び効果は、上述した第１の実施の形態と同一であるから、その説明は省略する。
【０１０４】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【０１０５】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【０１０６】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【０１０８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【０１０９】
【図１】本発明の第１の実施の形態に係る撮像装置であるデジタルカメラの構成を示す上面図である。
【図２】本発明の第１の実施の形態に係る撮像装置であるデジタルカメラの構成を示す背面図である。
【図３】本発明の第１の実施の形態に係る撮像装置であるデジタルカメラにおけるＬＣＤ表示内容説明図
【図４】本発明の第１の実施の形態に係る撮像装置であるデジタルカメラの内部構成を示すブロック図である。
【図５】本発明の第１の実施の形態に係る撮像装置であるデジタルカメラにおける記録モード設定動作の流れを示すフローチャートである。
【図６】本発明の第１の実施の形態に係る撮像装置であるデジタルカメラにおける撮影動作の流れを示すフローチャートである。
【図７】本発明の第１の実施の形態に係る撮像装置であるデジタルカメラにおける記録動作の流れを示すフローチャートである。
【図８】本発明の第２の実施の形態に係る撮像装置であるデジタルカメラにおける記録動作の流れを示すフローチャートである。
【符号の説明】
【０１１０】
１        デジタルカメラ（撮像装置）
７        レリーズボタン
８        メイン電子ダイヤル
１２      第１の表示装置
１７      サブ電子ダイヤル
１９      メインスイッチレバー
２１      メモリカードスロット選択ボタン
２８      メモリカードスロットカバー開閉摘み
２９      メモリカードスロットカバー
３０      アクセスランプ（アクセス状態表示手段）
３１      第１のメモリカードスロット
３２      第２のメモリカードスロット
３３      第１のメモリカード取り外しボタン
３４      第２のメモリカード取り外しボタン
１００    撮像素子
１０９    第１のメモリカードスロット
１１０    第１のメモリカード
１１１    第２のメモリカードスロット
１１２    第２のメモリカード
１１３    ＣＰＵ
１１４    ブザー（警告手段）
１１５    温度センサ
１２２    第１のレリーズスイッチ
１２３    第２のレリーズスイッチ
１２４    メイン電子ダイヤルスイッチ
１２５    サブ電子ダイヤルスイッチ
１３０    スロット選択スイッチ
１３１    スロットカバー検出スイッチ
１３２    第１のメモリカード検出スイッチ
１３３    第２のメモリカード検出スイッチ
１３９    メインスイッチ
１４６    撮影レンズ
１４７    絞り羽根群
【図１】
2005348377.tif 000003
【図２】
2005348377.tif 000004
【図３】
2005348377.tif 000005
【図４】
2005348377.tif 000006
【図５】
2005348377.tif 000007
【図６】
2005348377.tif 000008
【図７】
2005348377.tif 000009
【図８】
2005348377.tif 000010